(57)【要約】【課題】筐体の加工を不要であるとともに、ケーブルの被覆の経時的な損傷を低減するケーブル固定構造を得ること。【解決手段】配線用穴１０が設けられた底面１ａを有する筐体１と、筐体１の内部に配置された開閉器７及び端子台４と、配線用穴１０から筐体１内に挿入されて開閉器７又は端子台４に接続された複数のケーブル３を固定する複数のケーブル固定具５とを有し、複数のケーブル固定具５は、複数のケーブル３を底面１ａに対して傾いた状態で固定する。【選択図】図７
2018074071.tif 000002
【特許請求の範囲】
【請求項１】
配線用穴が設けられた底面を有する筐体と、
前記筐体の内部に配置された複数のケーブル接続部品と、
前記配線用穴から前記筐体内に挿入されて前記ケーブル接続部品に接続された複数のケーブルを固定する複数のケーブル固定具とを有し、
複数の前記ケーブル固定具は、複数の前記ケーブルを前記底面に対して傾いた状態で固定することを特徴とするケーブル固定構造。
【請求項２】
前記ケーブル固定具は、複数の前記ケーブルが挿入される凹状のケーブル挿入部を備えた金具と、前記ケーブル挿入部に配置された絶縁部品とを有し、
複数の前記ケーブル固定具は、複数の前記ケーブルの各々と前記金具との間に前記絶縁部品が介在する状態で複数の前記ケーブルを固定することを特徴とする請求項１に記載のケーブル固定構造。
【請求項３】
複数の前記ケーブルの各々は、前記底面に対して１０度から４５度の範囲で傾いていることを特徴とする請求項１又は２に記載のケーブル固定構造。
【請求項４】
前記ケーブル接続部品は、第１のケーブル接続部品と該第１のケーブル接続部品に電気的に接続された第２のケーブル接続部品とを含み、
複数の前記ケーブルは、前記第１のケーブル接続部品に接続された第１のケーブルと、前記第２のケーブル接続部品に接続された第２のケーブルとを含むことを特徴とする請求項１から３のいずれか１項に記載のケーブル固定構造。
【請求項５】
請求項４に記載のケーブル固定構造を用いた太陽光発電システム用接続箱であって、
前記第１のケーブルは、太陽電池モジュールに接続されるケーブルであり、前記第２のケーブルは、電力変換装置に接続されるケーブルであることを特徴とする太陽光発電システム用接続箱。
【請求項６】
前記第１のケーブル接続部品は、開閉器であることを特徴とする請求項５に記載の太陽光発電システム用接続箱。
【発明の詳細な説明】
【技術分野】
【０００１】
本発明は、筐体内の配線接続部品に接続されるケーブルを固定するケーブル固定構造及びこのケーブル固定構造を用いた太陽光発電システム用接続箱に関する。
【背景技術】
【０００２】
従来の太陽光発電システム用接続箱は、筐体の内部に設置した開閉器に太陽電池モジュールからのケーブルを接続し、同様に筐体の内部に設置された端子台に電力変換装置へのケーブルを接続する構造となっている。
【０００３】
ケーブルを配線する際は、接続箱の底面に配線用穴を開けてケーブルを通し、開閉器又は端子台に接続するため、施工時にケーブルが引っ張られること又はケーブルの自重による接続部へのストレスによって、端子の緩み又は損傷が発生する場合がある。端子の緩み又は損傷を防ぐために、開閉器又は端子台とケーブルとの接続部付近にケーブルを固定する張力止めを施す構造が一般的である。
【０００４】
太陽光発電関連の機器は、１５年程度の製品寿命が求められることが多く、接続箱は、屋外に設置され風雨及び急激な温度変化に晒される条件下で使用されることもあるため、ケーブルにかかるストレスがなるべく小さくなるようにケーブルを固定することが望まれる。
【０００５】
特許文献１には、凸部を持ったケースと、凸部と平行に設置された凹部とを持つカバーを備え、カバーの取り付け時に凸部と凹部との間にケーブルを挟み込む張力止めの構造が開示されている。
【先行技術文献】
【特許文献】
【０００６】
【特許文献１】特開２０１２−１１９０７１号公報
【発明の概要】
【発明が解決しようとする課題】
【０００７】
しかしながら、特許文献１に開示される構造では、ケースに凸部を設ける加工が必要となるため、配線するケーブル数が多い接続箱では加工範囲が広くなり、加工費によるコストアップが想定される。また、特許文献１に開示される構造では、凸凹によるケーブルの固定部分に集中して荷重が加わるため、経時的にケーブルの被覆が損傷して絶縁不良となる可能性がある。
【０００８】
本発明は、上記に鑑みてなされたものであって、筐体の加工が不要であるとともに、ケーブルの被覆の経時的な損傷を低減するケーブル固定構造を得ることを目的とする。
【課題を解決するための手段】
【０００９】
上述した課題を解決し、目的を達成するために、本発明は、配線用穴が設けられた底面を有する筐体と、筐体の内部に配置された複数のケーブル接続部品と、配線用穴から筐体内に挿入されてケーブル接続部品に接続された複数のケーブルを固定する複数のケーブル固定具とを有する。複数のケーブル固定具は、複数のケーブルを底面に対して傾いた状態で固定する。
【発明の効果】
【００１０】
本発明によれば、筐体の加工を不要であるとともに、ケーブルの被覆の経時的な損傷を低減できるという効果を奏する。
【図面の簡単な説明】
【００１１】
【図１】本発明の実施の形態に係る太陽光発電システムの構成を示す図
【図２】実施の形態に係る太陽光発電システム用の接続箱の斜視図
【図３】実施の形態に係る太陽光発電システム用の接続箱の内部構造を示す図
【図４】実施の形態に係るケーブル固定構造に用いるケーブル固定具の構成を示す図
【図５】実施の形態に係るケーブル固定構造に用いるケーブル固定具の分解斜視図
【図６】実施の形態に係るケーブル固定構造に用いるケーブル固定具へのケーブルの挿入状態を示す図
【図７】実施の形態に係る太陽光発電システム用の接続箱の内部の配線状態を示す図
【図８】実施の形態に係る太陽光発電システム用の接続箱の内部の配線状態を示す図
【図９】実施の形態に係る太陽光発電システム用の接続箱の内部の配線状態を示す図
【発明を実施するための形態】
【００１２】
以下に、本発明の実施の形態に係るケーブル固定構造及び太陽光発電システム用接続箱を図面に基づいて詳細に説明する。なお、この実施の形態によりこの発明が限定されるものではない。
【００１３】
実施の形態．
図１は、本発明の実施の形態に係る太陽光発電システムの構成を示す図である。太陽光発電システムは、太陽光を受光して発電する太陽電池モジュール１６と、太陽電池モジュール１６において発電された電力を交流電力に変換する電力変換装置１５と、太陽電池モジュール１６と電力変換装置１５とを接続する太陽光発電システム用接続箱である接続箱１００とを有する。電力変換装置１５は、パワーコンディショナと呼ばれることもある。太陽電池モジュール１６に接続された第１のケーブル３ａ及び電力変換装置１５に接続された第２のケーブル３ｂは、接続箱１００の中に引き込まれ、接続箱１００の内部で電気的に接続されている。以下、第１のケーブル３ａ及び第２のケーブル３ｂを区別する必要が無い場合には、ケーブル３という。
【００１４】
図２は、実施の形態に係る太陽光発電システム用の接続箱の斜視図である。図２に示すように、接続箱１００は、前面が開放された筐体１と、筐体１の前面を塞ぐ蓋２とを有する。筐体１の底面１ａには、配線用穴１０が複数開けられている。ケーブル３は、配線用穴１０を通じて筐体１の中に引き込まれる。
【００１５】
図３は、実施の形態に係る太陽光発電システム用の接続箱の内部構造を示す図である。図３に示すように、筐体１の内部には、第１のケーブル３ａが接続される第１のケーブル接続部品である複数の開閉器７と、第２のケーブル３ｂが接続される第２のケーブル接続部品である端子台４と太陽電池モジュール１６に電力が流れ込まないように阻止する複数の逆流防止ダイオード１４とが実装された基板８が収容されている。開閉器７は、第１のケーブル３ａが接続される端子台部７ａを有する。複数の開閉器７と端子台４と複数の逆流防止ダイオード１４とは、図示しない内部配線により電気的に接続されている。したがって、第１のケーブル３ａを端子台部７ａに接続し、第２のケーブル３ｂを端子台４に接続すると、第１のケーブル３ａと第２のケーブル３ｂとは、開閉器７、逆流防止ダイオード１４及び端子台４を通じて電気的に接続される。基板８は、開閉器７及び端子台４と配線用穴１０との間のスペースには、後述するケーブル固定具５が取り付けられるケーブル固定具取り付け穴６が設けられている。
【００１６】
図４は、実施の形態に係るケーブル固定構造に用いるケーブル固定具の構成を示す図である。図５は、実施の形態に係るケーブル固定構造に用いるケーブル固定具の分解斜視図である。ケーブル固定具５は、電線張力止めに使用される。ケーブル固定具５は、金属製の金具１３と、ケーブル３と接触する部分に配置された絶縁部品９とで構成されている。絶縁部品９は、弾力性のある絶縁物で構成されている。
【００１７】
金具１３は、ケーブル３が挿入される凹状のケーブル挿入部１２と、基板８に固定される固定部１１とを備えている。金具１３は、両端の固定部１１同士の間にケーブル挿入部１２が設けられており、図５中の矢印Ａ方向から見た側面視ではハット型となっている。固定部１１には、ネジを通すネジ締め用穴１１ａが形成されている。
【００１８】
絶縁部品９は、ケーブル挿入部１２と係合する形状であり、図５中の矢印Ａ方向から見た側面視ではコの字型となっている。絶縁部品９は、ケーブル３と金具１３とが直に接しないように、ケーブル挿入部１２に嵌め込まれている。
【００１９】
金具１３は、施工時にケーブル３が引っ張られること又はケーブル３の自重による接続部へのストレスによって、ケーブル３及びケーブル固定具５に引張荷重がかかった場合でもケーブル固定具５が変形しない強度を確保する。また、ケーブル挿入部１２に絶縁部品９が配置されていることにより、ケーブル固定具５は、ケーブル３と金具１３との間に弾力性を有する絶縁部品９が介在する状態でケーブル３を固定する。したがって、ケーブル３と金具１３との絶縁を確保するとともに、ケーブル３に加わるストレスを絶縁部品９が弾性変形することによって緩和し、絶縁部品９との摩擦力で引張荷重に対しての耐力を向上させることができる。
【００２０】
図６は、実施の形態に係るケーブル固定構造に用いるケーブル固定具へのケーブルの挿入状態を示す図である。絶縁部品９を設置済のケーブル挿入部１２にケーブル３を挿入し、ネジ締め用穴１１ａを通したネジ１７をケーブル固定具取付穴６に締めつけることにより、ケーブル固定具５によりケーブル３が圧縮され、ケーブル３同士の隙間が狭まり、ケーブル３がケーブル挿入部１２に押し込まれた状態で基板８上に固定される。
【００２１】
図７は、実施の形態に係る太陽光発電システム用の接続箱の内部の配線状態を示す図である。図７に示すように、第１のケーブル３ａは、２対ごとに配線用穴１０を通じて筐体１の内部へ引き込まれ、ケーブル固定具５によって第１のケーブル３ａが基板８上に固定され、張力止めされる。固定された第１のケーブル３ａは、開閉器７の端子台部７ａに接続される。また、１対の第２のケーブル３ｂも同様にケーブル固定具５により基板８上に固定され端子台４に接続される。なお、複数の太陽電池モジュール１６からのケーブル３は、２対ごととしたが、１対の場合も同様に固定できる。さらに、ケーブル挿入部１２を広げることにより、３対以上のケーブル３をケーブル固定具５で基板８に固定することもできる。
【００２２】
図８は、実施の形態に係る太陽光発電システム用の接続箱の内部の配線状態を示す図であり、図７のＢ部を拡大して示している。図８中に矢印Ｃで示す筐体１の底面１ａと垂直な方向をケーブル３の配線方向と定義する。また、図８中に矢印Ｄで示すケーブル固定具５のネジ締め用穴１１ａ同士を結ぶ線の延びる方向をケーブル固定具５の取り付け方向と定義する。図７に示すように、ケーブル固定具５は、ケーブル３の配線方向に対し、取り付け方向が傾斜した状態で固定される。これにより、ケーブル固定具５とケーブル３との摩擦により、ケーブル３が引っ張られたときにケーブル３が引っ張られる方向の応力が分散されるため、引張荷重に対しての耐力が向上する。また、ケーブル３が引っ張られる方向の応力がケーブル固定具５により分散されるため、開閉器７の端子台部７ａ及び端子台４からケーブル３が抜ける方向の応力が緩和される。
【００２３】
図９は、実施の形態に係る太陽光発電システム用の接続箱の内部の配線状態を示す図である。図９（ａ）に示すように、ケーブル３の配線方向とケーブル固定具５の取り付け方向とがなす角度が小さい場合は、抜け方向の力が分散されず張力止めの効果が小さくなる。一方、図９（ｂ）に示すように、ケーブル３の配線方向とケーブル固定具５の取り付け方向とがなす角度が大きい場合は、ケーブル３の曲がりスペースを確保するため、複数の開閉器７及び端子台４と配線用穴１０との間に広いケーブル保持スペースが必要となり、筐体１を大きくする必要が生ずる。したがって、ケーブル３の底面１ａに対しての傾き、換言すると、ケーブル３の配線方向とケーブル固定具５の取り付け方向とがなす角度は、張力止め効果を得るため１０度以上とすることが好ましく、また、ケーブル保持スペースが広くならないようにするため、４５度以下とすることが好ましい。
【００２４】
実施の形態に係るケーブル固定構造によれば、筐体１に特別な加工を施すことなく、ケーブル３の被覆の経時的な損傷を低減できることができる。
【００２５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２６】
１  筐体、１ａ  底面、２  蓋、３  ケーブル、３ａ  第１のケーブル、３ｂ  第２のケーブル、４  端子台、５  ケーブル固定具、６  ケーブル固定具取付穴、７  開閉器、７ａ  端子台部、８  基板、９  絶縁部品、１０  配線用穴、１１  固定部、１１ａ  ネジ締め用穴、１２  ケーブル挿入部、１３  金具、１４  逆流防止ダイオード、１５  電力変換装置、１６  太陽電池モジュール、１７  ネジ。
【図１】
2018074071.tif 000003
【図２】
2018074071.tif 000004
【図３】
2018074071.tif 000005
【図４】
2018074071.tif 000006
【図５】
2018074071.tif 000007
【図６】
2018074071.tif 000008
【図７】
2018074071.tif 000009
【図８】
2018074071.tif 000010
【図９】
2018074071.tif 000011